(57)【要約】  プレゼンテーションを行うために予め用意されたスライド画像を説明者が閲覧するための説明者閲覧端末と、該スライド画像を受講者が閲覧するための受講者閲覧端末との間でデータ通信を行うことにより、説明者閲覧端末にて指定されたスライド画像を受講者閲覧端末に表示するプレゼンテーションシステムにおいて、受講者による入力操作を受け付ける受講者携帯端末を備え、受講者携帯端末は、受講者による入力操作を受け付けると、該入力操作の内容を表すメモ情報を記憶するとともに、受講者閲覧端末が表示中のスライド画像を識別するためのスライドＩＤを取得し、該スライドＩＤに対応づけてメモ情報を記録する。
2012124031.tif 000002
【特許請求の範囲】
【請求項１】
プレゼンテーションを行うために予め用意されたスライド画像を説明者が閲覧するための説明者閲覧端末と、該スライド画像を受講者が閲覧するための受講者閲覧端末との間でデータ通信を行うことにより、前記説明者閲覧端末にて指定されたスライド画像を前記受講者閲覧端末に表示するプレゼンテーションシステムにおいて、
受講者による入力操作を受け付ける受講者携帯端末をさらに備え、
前記受講者携帯端末は、前記受講者による入力操作を受け付けると、該入力操作の内容を表すメモ情報を記憶するとともに、前記受講者閲覧端末が表示中のスライド画像を識別するためのスライドＩＤを取得し、該スライドＩＤに対応づけて前記メモ情報を記録することを特徴とするプレゼンテーションシステム。
【請求項２】
前記受講者携帯端末は、前記スライドＩＤを取得する際に、前記メモ情報を前記受講者閲覧端末に送信し、
前記受講者閲覧端末は、前記受講者閲覧端末から前記メモ情報を受信すると、前記スライド画像に該メモ情報を重畳表示することを特徴とする請求項１に記載のプレゼンテーションシステム。
【請求項３】
前記受講者閲覧端末は、ユーザによる入力操作を受け付けるユーザインターフェースを有し、該ユーザインターフェースを介して前記メモ情報の表示位置を移動すると、前記スライド画像に対する該メモ情報の表示位置を表す配置情報を前記受講者携帯端末に送信し、
前記受講者携帯端末は、前記受講者閲覧端末から前記配置情報を受信すると、該配置情報に対応づけて前記メモ情報を記録することを特徴とする請求項２に記載のプレゼンテーションシステム。
【請求項４】
前記スライド画像を管理する説明者側管理サーバをさらに備え、
前記説明者側管理サーバは、インターネット網を介して外部の端末である受講者側管理端末からダウンロード要求を受信すると、該ダウンロード要求に従って、前記スライド画像を前記受講者側管理端末に送信し、
前記受講者側管理端末は、前記説明者側管理サーバから受信したスライド画像を記憶するとともに、前記受講者携帯端末から、前記メモ情報、前記配置情報、及び前記スライドＩＤを含む受講記録情報を受信すると、該スライドＩＤに対応するスライド画像において該配置情報に基づく表示位置に該メモ情報を反映させて該スライド画像を記憶することを特徴とする請求項３に記載のプレゼンテーションシステム。
【請求項５】
説明者による入力操作を受け付ける説明者携帯端末をさらに備え、
前記説明者携帯端末は、説明者による入力操作を受け付けると、該入力操作の内容を表す補足情報を前記受講者携帯端末に送信し、
前記受講者携帯端末は、前記説明者携帯端末から前記補足情報を受信すると、前記スライドＩＤに対応づけて該補足情報を記録することを特徴とする請求項１ないし請求項４のいずれか１項に記載のプレゼンテーションシステム。
【請求項６】
前記スライド画像を管理する説明者側管理サーバをさらに備え、
前記説明者側管理サーバは、インターネット網を介して外部の端末である受講者側管理端末からダウンロード要求を受信すると、該ダウンロード要求に従って、前記スライド画像を前記受講者側管理端末に送信し、
前記受講者側管理端末は、前記説明者側管理サーバから受信したスライド画像を記憶するとともに、前記受講者携帯端末から、前記メモ情報、前記補足情報、及び前記スライドＩＤを含む受講記録情報を受信すると、該スライドＩＤに対応するスライド画像において該メモ情報と該補足情報とを関連づけて該スライド画像を記憶することを特徴とする請求項５に記載のプレゼンテーションシステム。
【請求項７】
前記受講者側管理端末は、前記スライド画像に関連づけられたメモ情報および補足情報の情報量が多いほど高くなるように重要度を設定し、該重要度が高い順に前記スライド画像にリンク可能なアイコンを並べて表示することを特徴とする請求項６に記載のプレゼンテーションシステム。
【請求項８】
前記受講者携帯端末は、前記受講者閲覧端末に表示されるスライド画像を降順または昇順のいずれか選択された順に切り替えるための切替信号を送信し、
前記受講者閲覧端末は、前記説明者閲覧端末にて指定された順にスライド画像を記憶するとともに、前記受講者携帯端末から受信した切替信号に従って、前記スライド画像の表示を切り替えることを特徴とする請求項１ないし請求項７のいずれか１項に記載のプレゼンテーションシステム。
【請求項９】
前記受講者携帯端末は、前記プレゼンテーションにて用いられる用語を検索するための検索信号を送信し、
前記受講者閲覧端末は、前記説明者閲覧端末にて指定された順にスライド画像を記憶するとともに、前記受講者携帯端末から受信した検索信号に基づいて、前記用語が記載されているスライド画像のなかから最先に記憶したスライド画像を表示することを特徴とする請求項１ないし請求項８のいずれか１項に記載のプレゼンテーションシステム。
【請求項１０】
プレゼンテーションを行うために予め用意されたスライド画像を説明者が閲覧するための説明者閲覧端末と、該スライド画像を受講者が閲覧するための受講者閲覧端末との間でデータ通信を行うことにより、前記説明者閲覧端末にて指定されたスライド画像を前記受講者閲覧端末に表示するプレゼンテーションシステムに用いられる携帯端末であって、
受講者による入力操作を受け付ける受付手段と、
前記入力操作の内容を表すメモ情報を記憶する記憶手段と、
前記受付手段にて受講者による入力操作を受け付けると、前記受講者閲覧端末が表示中のスライド画像を識別するためのスライドＩＤを取得するスライドＩＤ取得手段と、
前記スライドＩＤ取得手段にて取得したスライドＩＤに対応づけて前記メモ情報を前記記憶手段に記憶させるスライドＩＤ付加手段と、
を備えることを特徴とする携帯端末。
【発明の詳細な説明】
【技術分野】
【０００１】
本発明は、会議や講義、研修といった様々な場で使用可能なプレゼンテーションシステム、及び、プレゼンテーションシステムに用いられる携帯端末に関する。
【背景技術】
【０００２】
従来、プレゼンテーションを行うために予め用意されたスライド画像を説明者が閲覧するための説明者閲覧端末と、このスライド画像を受講者が閲覧するための受講者閲覧端末とからなり、両者の端末間でデータ通信を行うことにより、説明者閲覧端末にて指定されたスライド画像を受講者閲覧端末に表示するプレゼンテーションシステムが知られている（例えば、特許文献１参照）。【０００３】
このプレゼンテーションシステムを使用することにより、プロジェクタ等によってスクリーンにスライド画像を表示する方法と比較して、各自に割り当てられた受講者閲覧端末にスライド画像が表示される分、受講者にとって視認性が向上されるので、説明者にとっては自身が指定したスライド画像を受講者に確実に認識させることが可能となる。
【先行技術文献】
【特許文献】
【０００４】
【特許文献１】特開２０１０−１７６２５０号公報
【発明の概要】
【発明が解決しようとする課題】
【０００５】
しかし、従来のプレゼンテーションシステムでは、一般的に各種の端末に搭載されているメモ機能を用いて、受講者が必要と思われる板書（メモ書き）を残した場合に、後になって、そのメモ書きがプレゼンテーションにおけるどの説明に対応するものかわからなくなってしまう可能性があるという問題があった。【０００６】
また、受講者閲覧端末のメモ機能を用いる場合、別途ウインドウを表示しなければならないので、スライド画像の表示領域が狭くなってしまい、視認性が低下することにつながるという問題があった。【０００７】
本発明は、これらの問題点を解決するために、プレゼンテーションに係る内容を合理的な態様で記録することが可能なプレゼンテーションシステム及び携帯端末を提供することを目的とする。
【課題を解決するための手段】
【０００８】
上記目的を達成するためになされた第１発明としてのプレゼンテーションシステムは、プレゼンテーションを行うために予め用意されたスライド画像を説明者が閲覧するための説明者閲覧端末と、そのスライド画像を受講者が閲覧するための受講者閲覧端末との間でデータ通信を行うことにより、説明者閲覧端末にて指定されたスライド画像を受講者閲覧端末に表示するシステムである。【０００９】
本発明では、このようなシステムにおいて、上記受講者閲覧端末とは別に、受講者による各種の入力操作を受け付ける受講者携帯端末をさらに備えることにした。そして、受講者携帯端末が、受講者による入力操作を受け付けると、その入力操作の内容を表すメモ情報を記憶するとともに、その受け付け時に受講者閲覧端末が表示中のスライド画像を識別するためのスライドＩＤを取得し、そのスライドＩＤに対応づけて上記メモ情報を記録するように構成した。【００１０】
このように構成されたプレゼンテーションシステムでは、受講者がメモ情報を記録しようとする際に受講者携帯端末を用いればよいので、受講者閲覧端末におけるスライド画像の表示領域を狭めることなく、視認性を維持することが可能となる。さらには、メモ情報をスライドＩＤに対応づけて記録するので、後になっても、そのメモ情報がプレゼンテーションにおいてどのスライド画像を用いて説明したときのものであるかを、受講者が容易に知得することが可能となる。【００１１】
したがって、本発明のプレゼンテーションシステムによれば、受講者の視認性を損ねることなく、スライド画像と対応可能にメモ情報を残すことができるので、プレゼンテーションに係る内容を合理的な態様で記録することができる。【００１２】
なお、受講者による入力操作としては、キー入力操作やタッチ入力操作、手書き入力操作などがあり、さらには、これらの入力操作の内容としては、文字や記号、図形等に加えて、各種画像（写真や動画など）や音声等がある。つまり、メモ情報としては、文字や記号、図形等を表すデータに限らず、画像データや音声データも含まれる。【００１３】
また、本発明のプレゼンテーションシステムでは、説明者閲覧端末にて指定されたスライド画像が受講者閲覧端末に表示されるので、受講者携帯端末がスライドＩＤを取得する経路としては、受講者閲覧端末から取得する経路に限らず、説明者閲覧端末から取得する経路であってもよい。【００１４】
ところで、これらのメモ情報をスライド画像と対応可能に残す以外にも、プレゼンテーション中に有効活用するためには、以下の構成を採用するとよいと考えられる。
即ち、本発明のプレゼンテーションシステムでは、受講者携帯端末が、スライドＩＤを取得する際に、メモ情報を受講者閲覧端末に送信し、受講者閲覧端末が、受講者携帯端末からメモ情報を受信すると、スライド画像にそのメモ情報を重畳表示するように構成してもよい。【００１５】
このような構成によれば、プレゼンテーション中にメモ情報をスライド画像に対応づけて受講者に知得させることができる。さらには、メモ情報をスライド画像上に表示することにより、スライド画像の内容に関する理解を深めるきっかけを受講者に与えたり、新たな発想やアイデアを起案するきっかけを受講者に与えたりすることができる。【００１６】
また、メモ情報をスライド画像と対応可能に残す際に、より合理的な態様で記録するには、以下の構成を採用するとよいと考えられる。
即ち、本発明のプレゼンテーションシステムでは、受講者閲覧端末が、ユーザによる入力操作を受け付けるユーザインターフェースを有し、そのユーザインターフェースを介してメモ情報の表示位置を移動すると、スライド画像に対するメモ情報の表示位置を表す配置情報を受講者携帯端末に送信してもよい。そして、受講者携帯端末が、受講者閲覧端末から配置情報を受信すると、その配置情報に対応づけてメモ情報を記録するように構成してもよい。【００１７】
このような構成では、プレゼンテーション中にスライド画像上にメモ情報を表示した後に、その表示位置を例えば受講者のドラッグ・アンド・ドロップ操作によって変更することにより、受講者の好むレイアウトを決定すると、そのレイアウトをデータとして保持することが可能となる。よって、プレゼンテーションに係る内容をより合理的な態様で記録することができる。【００１８】
ところで、受講者閲覧端末は、必ずしも受講者が所有しているものとは限らず、例えば説明者側で用意されたものを受講者がプレゼンテーション中にだけ使用する場合もある。このような場合には、受講者携帯端末の特性を活かし、以下の構成を採用するとよいと考えられる。【００１９】
即ち、本発明のプレゼンテーションシステムでは、説明者閲覧端末とは別に、スライド画像を管理する説明者側管理サーバをさらに備えてもよい。そして、説明者側管理サーバが、インターネット網を介して外部の端末である受講者側管理端末からダウンロード要求を受信すると、そのダウンロード要求に従って、スライド画像を受講者側管理端末に送信してもよい。【００２０】
さらには、受講者側管理端末が、説明者側管理サーバから受信したスライド画像を記憶するとともに、受講者携帯端末から、メモ情報、配置情報、及びスライドＩＤを含む受講記録情報を受信すると、このうちのスライドＩＤに対応するスライド画像において配置情報に基づく表示位置にメモ情報を反映させてスライド画像を記憶するように構成してもよい。【００２１】
つまり、このような構成では、受講者はプレゼンテーションの場に受講者携帯端末を持参するだけで、プレゼンテーションに係る受講記録情報を持ち帰ることができ、その後、会社や自宅などの端末（受講者側管理端末）からダウンロードしたスライド画像にその受講記録情報が対応づけられることになる。よって、受講者側管理端末にてプレゼンテーションに係る内容を合理的な態様で管理することができる。【００２２】
また、説明者がホワイトボード等を用いて説明すると、受講者の位置によってはその記載内容を見難い場合があるので、以下の構成を採用するとよい。
即ち、本発明のプレゼンテーションシステムでは、受講者携帯端末とは別に、説明者による入力操作を受け付ける説明者携帯端末をさらに備えてもよい。そして、説明者携帯端末が、説明者による入力操作を受け付けると、その入力操作の内容を表す補足情報を受講者携帯端末に送信し、受講者携帯端末が、説明者携帯端末から補足情報を受信すると、上記スライドＩＤに対応づけてその補足情報を記録するように構成してもよい。【００２３】
このような構成によれば、プレゼンテーション中に補足情報を受講者に確実に知得させることができる。さらには、スライド画像と対応可能に補足情報を残すことができるので、プレゼンテーションに係る内容をさらに合理的な態様で記録することができる。【００２４】
また、このような構成において、受講者携帯端末の特性をさらに活かし、以下の構成を採用するとよいと考えられる。
即ち、本発明のプレゼンテーションシステムでは、説明者閲覧端末とは別に、スライド画像を管理する説明者側管理サーバをさらに備えてもよい。そして、この説明者側管理サーバが、インターネット網を介して外部の端末である受講者側管理端末からダウンロード要求を受信すると、そのダウンロード要求に従って、スライド画像を受講者側管理端末に送信してもよい。【００２５】
そして、受講者側管理端末が、説明者側管理サーバから受信したスライド画像を記憶するとともに、受講者携帯端末から、メモ情報、補足情報、及びスライドＩＤを含む受講記録情報を受信すると、このうちのスライドＩＤに対応するスライド画像においてメモ情報と捕捉情報とを関連づけてスライド画像を記憶するように構成してもよい。【００２６】
つまり、このような構成では、受講者は、会社や自宅などの端末（受講者側管理端末）からダウンロードしたスライド画像にメモ情報と捕捉情報とが対応づけられることになるので、受講者側管理端末にてプレゼンテーションに係る内容をより合理的な態様で管理することができる。【００２７】
一方、受講者側管理端末は、スライド画像に関連づけられたメモ情報および補足情報の情報量が多いほど高くなるように重要度を設定し、その重要度が高い順にスライド画像にリンク可能なアイコンを並べて表示するように構成してもよい。【００２８】
このような構成によれば、プレゼンテーション中に説明者が強調した部分や、受講者が必要に感じた部分等が情報量の多さに比例すると考えられるので、このような情報量に応じた重要度が高い順にプレゼン画像を受講者に知得させることにより、プレゼンテーションの内容を比較的短時間に効率よく受講者に復習させることができる。【００２９】
また、プレゼンテーションの場において、受講者携帯端末は、単にメモ情報や補足情報等を記録するために用いるのではなく、受講者閲覧端末に対するリモートコントローラ（リモコン）としての各種の機能を有すると便利である。【００３０】
例えば、本発明のプレゼンテーションシステムでは、受講者携帯端末が、受講者閲覧端末に表示されるスライド画像を降順または昇順のいずれか選択された順に切り替えるための切替信号を送信し、受講者閲覧端末が、説明者閲覧端末にて指定された順にスライド画像を記憶してもよい。そして、受講者閲覧端末は、受講者携帯端末から受信した切替信号に従って、スライド画像の表示を切り替えるように構成してもよい。【００３１】
このような構成では、説明者が既に説明を終えた内容または説明中の内容に対応するスライド画像だけが受講者閲覧端末に記憶されているので、仮に次のページをめくるための切替信号が受講者携帯端末から送信されてきても、受講者閲覧端末には説明者が未説明の内容に対応するスライド画像が表示されずに済む。一方、説明者が既に説明を終えた分のスライド画像を受講者が見直したい場合には、その行為が許容されることになる。よって、一定の制約を課しつつ、ページめくりをリモコン操作で行う利便性を受講者に提供することができる。【００３２】
また別の例としては、本発明のプレゼンテーションシステムでは、受講者携帯端末が、プレゼンテーションにて用いられる用語を検索するための検索信号を送信し、受講者閲覧端末が、説明者閲覧端末にて指定された順にスライド画像を記憶するとともに、受講者携帯端末から受信した検索信号に基づいて、上記用語が記載されているスライド画像のなかから最先に記憶したスライド画像を表示するように構成してもよい。【００３３】
このような構成によれば、検索の対象となる用語が最初に登場したスライド画像に、その用語の定義や説明が記載されていることが多いと考えられるので、受講者にとって知りたい情報を効率よく表示できる確率が向上することになる。よって、用語検索を効率よくリモコン操作で行う利便性を受講者に提供することができる。【００３４】
なお、第２発明としての携帯端末は、プレゼンテーションを行うために予め用意されたスライド画像を説明者が閲覧するための説明者閲覧端末と、そのスライド画像を受講者が閲覧するための受講者閲覧端末との間でデータ通信を行うことにより、説明者閲覧端末にて指定されたスライド画像を受講者閲覧端末に表示するプレゼンテーションシステムに用いられる端末である。【００３５】
本発明では、このような端末において、受講者による入力操作を受け付ける受付手段と、その入力操作の内容を表すメモ情報を記憶する記憶手段と、上記受付手段にて受講者による入力操作を受け付けると、受講者閲覧端末が表示中のスライド画像を識別するためのスライドＩＤを取得するスライドＩＤ取得手段と、スライドＩＤ取得手段にて取得したスライドＩＤに対応づけてメモ情報を記憶手段に記憶させるスライドＩＤ付加手段とを備えた。【００３６】
このように構成された携帯端末は、第１発明であるプレゼンテーションシステムに好適に使用されることができる。
【図面の簡単な説明】
【００３７】
【図１】本発明が適用されたプレゼンテーションシステムの概要を示す構成図である。
【図２Ａ−２Ｂ】説明者側管理サーバの構成、説明者閲覧端末及び受講者閲覧端末の構成をそれぞれ示すブロック図である。
【図３】説明者閲覧端末が実行するマイコン処理を示すフローチャートである。
【図４】受講者閲覧端末が実行するメイン処理を示すフローチャートである。
【図５Ａ−５Ｂ】説明者携帯端末及び説明者携帯端末の構成、説明者側管理端末の構成をそれぞれ示すブロック図である。
【図６Ａ−６Ｂ】ペンによる入力内容の表示形態、その入力内容が転送される形態をそれぞれ示す説明図である。
【図７】受講者携帯端末が実行するメイン処理を示す第１のフローチャートである。
【図８】受講者携帯端末が実行するメイン処理を示す第２のフローチャートである。
【図９】受講者閲覧端末が実行するオプショナル処理を示すフローチャートである。
【図１０】受講者携帯端末が実行するオプショナル処理を示すフローチャートである。
【図１１】受講者管理端末が実行する画像管理処理を示すフローチャートである。
【図１２Ａ−１２Ｂ】スライドリストの構成、スライドリストの配列が並べ替えられた形態をそれぞれ示す説明図である。
【符号の説明】
【００３８】
１…プレゼンテーションシステム、２…内部ネットワーク、３…説明者端末群、４…外部ネットワーク、５…受講者端末群、７…Ｓ−管理サーバ、９…Ｃ−管理端末、１０…Ｓ−閲覧端末、２０…Ｓ−携帯端末、３０…Ｃ−閲覧端末、４０…Ｃ−携帯端末、５０…スライドリスト、５１…検索ボタン、５３…メモ書ボタン、５５…読み返しボタン。
【発明を実施するための形態】
【００３９】
以下に、本発明の実施形態を図面とともに説明する。
［全体構成］
図１は、本発明が適用されたプレゼンテーションシステム１の概要を示す構成図である。
【００４０】
図１に示すように、プレゼンテーションシステム１は、会議や講義、研修といった様々な場で使用されるシステムであって、このような場でプレゼンテーションを行う説明者１Ｓ（サプライヤー）によって用いられる説明者端末群３と、説明者１Ｓのプレゼンテーションを受講する各受講者１Ｃ（クライアント）によって用いられる個々の受講者端末群５とを備える。
【００４１】
また、プレゼンテーションシステム１は、説明者１Ｓ側（プレゼンテーションの運営者，説明者１Ｓの会社や関係者等を含む）から後日、説明者１Ｓ側によってプレゼンテーション用に予め準備されたスライド画像を配布するための説明者側管理サーバ（以下「Ｓ−管理サーバ」という）７と、各受講者１Ｃ側（プレゼンテーションの欠席者，受講者１Ｃの会社や関係者等を含む）が管理する個々の受講者管理端末（以下「Ｃ−管理端末」という）９とを備える。
【００４２】
説明者端末群３は、プレゼンテーションの場で説明者１Ｓがスライド画像を閲覧するための説明者閲覧端末（以下「Ｓ−閲覧端末」という）１０と、説明者１Ｓがプレゼンテーションを行う際にホワイトボード等の代わりに使用する説明者携帯端末（以下「Ｓ−携帯端末」という）２０とからなる。また、受講者端末群５は、プレゼンテーションの場で受講者１Ｃがスライド画像を閲覧するための受講者閲覧端末（以下「Ｃ−閲覧端末」という）３０と、受講者１Ｃがプレゼンテーション中にメモをとるため等に使用する受講者携帯端末（以下「Ｃ−携帯端末」という）４０とからなる。
【００４３】
そして、プレゼンテーションシステム１では、プレゼンテーションの場に構築されている内部ネットワーク２（例えば無線ＬＡＮ等）を介して、Ｓ−閲覧端末１０とＣ−閲覧端末３０との間でデータ通信が可能にされている。また、Ｓ−閲覧端末１０とＳ−携帯端末２０、Ｃ−閲覧端末３０とＣ−携帯端末４０とは、それぞれ赤外線やＢｌｕｅｔｏｏｔｈ（登録商標）といった近距離無線通信によってデータ通信が可能になるように、プレゼンテーション前に互いにペアリング処理が済まされている。
【００４４】
なお、ここでのペアリング処理は、ユーザ（説明者１Ｓ，受講者１Ｃ）の携帯端末２０，４０から自身に割り当てられた閲覧端末１０，３０だけに通信接続（近距離無線通信）可能な周知のシングルペアリングを意味する。
【００４５】
さらには、Ｓ−携帯端末２０とＣ−携帯端末４０とは、内部ネットワーク２（但し携帯電話網，パケット通信網，インターネット網といった外部ネットワーク４を経由可）によって、互いにデータ通信が可能にされている。例えば、Ｓ−携帯端末２０には、個々のＣ−携帯端末４０の電話番号、メールアドレスといった送信先情報がプレゼンテーション前に登録され、全てのＣ−携帯端末４０に一括してデータ送信可能に予め設定されている。
【００４６】
また、プレゼンテーションシステム１では、少なくとも、Ｓ−閲覧端末１０、Ｓ−管理サーバ７、及び、Ｃ−管理端末９が、外部ネットワーク４（但しインターネット網を含む）を介して接続可能にされている。
【００４７】
［管理サーバの構成］
次に、図２Ａは、Ｓ−管理サーバ７の構成を示すブロック図である。
図２Ａに示すように、Ｓ−管理サーバ７は、外部ネットワーク４に接続するためのネットワークＩ／Ｆ７１と、各種データを蓄積するデータベース部７３と、マイクロコンピュータ（マイコン）７５とを備えている。
【００４８】
マイコン７５は、スライド画像を管理するための各種のプログラムやデータを格納する記憶装置（ＲＯＭ，ＲＡＭ等）、この記憶装置に記憶されたプログラムを実行するＣＰＵ、各種信号を入出力するためのＩＯポート、計時用タイマー等を備えた周知のものである。なお、スライド画像の各ファイルにおける属性には、予め説明者１Ｓ側によってスライド画像毎に異なるように割り当てられたスライドＩＤ（本実施形態では、プレゼンテーションの名称及びページ数を表すＩＤ）や、プレゼンテーションの日時、会場名、説明者１Ｓの名前、会社名等からなるヘッダ情報等が少なくとも記述されている。また、データベース部７３には、ヘッダ情報毎に区分されるフォルダにスライド画像を記憶する領域が設けられている。
【００４９】
マイコン７５のＣＰＵは、Ｓ−閲覧端末１０からネットワークＩ／Ｆ７１を介して受信したスライド画像を受信する毎に、そのヘッダ情報に対応するフォルダ（無い場合には新規に作成したフォルダ）に格納されるように、受信したスライド画像をデータベース部７３に記憶していくことにより、ヘッダ情報が同一のスライド画像を一纏めにしてなるスライドブックを生成する。つまり、スライドブックは、一つのプレゼンテーションで用いられた複数のスライド画像によって構成されることになる。
【００５０】
また、マイコン７５のＣＰＵは、Ｃ−管理端末９からネットワークＩ／Ｆ７１を介してスライドブックのダウンロード要求を受信すると、そのダウンロード要求に従って該当するスライドブックを、ネットワークＩ／Ｆ７１を介してＣ−管理端末９に送信する。なお、ダウンロード要求には、プレゼンテーションの参加予定者に予め通知しておいた情報として、スライドブック（ひいてはヘッダ情報）を指定するための指定ＩＤやパスワード等が含まれている。つまり、ダウンロード要求に基づいて、指定ＩＤおよびパスワードと予め通知しておいたものとを照合できた場合に、その指定ＩＤに対応するスライドブックをその要求元（Ｃ−管理端末９）に送信するようにしている。
【００５１】
［閲覧端末の構成］
次に、図２Ｂは、閲覧端末１０，３０の構成を示すブロック図である。なお、閲覧端末１０，３０は、いずれもプレゼンテーションの場における各座席に設置される可般型装置として構成されている。
【００５２】
図２Ｂに示すように、閲覧端末１０，３０は、ユーザによる入力操作を受け付けるユーザインターフェースとしてのタッチパネル部１１，３１の他、無線ＬＡＮアダプタ１３，３３、近距離通信部１５，３５、及び、制御部１７，３７を備えて構成される。なお、タッチパネル部１１，３１は、表示パネル１８，３８と入力パネル１９，３９とからなる周知のものである。
【００５３】
表示パネル１８，３８は、例えばＡ４またはＢ５サイズの薄型の液晶ディスプレイあるいは有機ＥＬディスプレイにて構成され、各種画像を表示する。
入力パネル１９，３９は、表示パネル１８，３８の表面に一体的に配設されて各種の表示画像に対応する箇所のタッチ操作を入力するための装置である。なお、入力パネル１９，３９の動作原理については、マトリックススイッチ方式や、抵抗膜方式、表面弾性波方式、赤外線方式、電磁誘導方式、静電容量方式などの周知の方式のうちいずれが採用されてもよい。
【００５４】
Ｓ−閲覧端末１０の無線ＬＡＮアダプタ１３は、無線ＬＡＮルータ（図示せず）を介してＳ−閲覧端末１０を外部ネットワーク４に接続したり、Ｓ−閲覧端末１０がＣ−閲覧端末３０との間で各種データの送受信を行ったりするための装置であり、Ｃ−閲覧端末３０の無線ＬＡＮアダプタ３３は、Ｃ−閲覧端末３０がＳ−閲覧端末１０との間で各種データの送受信を行うための装置である。
【００５５】
近距離通信部１５，３５は、例えばＢｌｕｅｔｏｏｔｈ（登録商標）などのプロトコルに沿って、無線通信を行うための周知の通信コントローラであり、例えば数ｍから数十ｍ程度の距離内で、携帯端末２０，４０から特定周波数帯の電波によって送信されてくる各種信号を受信するように構成されている。
【００５６】
制御部１７，３７は、マイコン１２，３２及びハードディスク１４，３４を中心に構成されている。
マイコン１２，３２は、制御用の各種のプログラムやデータを格納する記憶装置（ＲＯＭ，ＲＡＭ等）、この記憶装置に記憶されたプログラムを実行するＣＰＵ、各種信号を入出力するためのＩＯポート、計時用タイマー等を備えた周知のものである。
【００５７】
また、マイコン１２，３２（詳細にはＣＰＵ、以下省略する）は、少なくとも、タッチ操作に対応する位置（タッチ位置）の他に、タッチパネル部１１，３１に対するドラッグ・アンド・ドロップ操作（指やペンなどでタッチしてドラッグした後にリリースする操作）の始点位置と終点位置を、入力パネル１９，３９からの入力に基づいて読み取るユーザ操作読取処理を行う。
【００５８】
但し、Ｓ−閲覧端末１０のハードディスク１４には、説明者１Ｓがプレゼンテーションを行うために予め用意された複数のスライド画像が格納されている。そして、これらのスライド画像は、無線ＬＡＮアダプタ１３を介してＳ−管理サーバ７に予め送信されていることを前提とする。なお、各スライド画像には、説明者１Ｓ側によって前述のスライドＩＤおよびヘッダ情報が既に記述されているものとする。
【００５９】
［Ｓ−閲覧端末のマイコン処理］
次に、Ｓ−閲覧端末１０のマイコン１２が実行する処理（マイコン処理）について、図３のフローチャートに沿って説明する。なお、本処理は、説明者１Ｓによって当該処理に対応するアプリケーション（プログラム）を起動するための操作がなされると開始され、最後のページのスライド画像に含まれている終了ボタンが押下されると終了する。
【００６０】
また、本処理中にＳ−閲覧端末１０のタッチパネル部１１を介してこの終了ボタンが押下されると、Ｓ−閲覧端末１０のマイコン１２が、プレゼンテーションの終了を表す終了信号を、無線ＬＡＮアダプタ１３を介してＣ−閲覧端末３０に送信することを前提とする。
【００６１】
図３に示すように、本処理が開始されると、まず、Ｓ−閲覧端末１０のマイコン１２は、ハードディスク１４に格納された複数のスライド画像のうち、ヘッダ情報に基づいて１ページ目のスライド画像を初期画像として、表示パネル１８に表示する（Ｓ１０５）。なお、初期画像には、プレゼンテーションを開始するための開始ボタン（図示せず）が含まれている。
【００６２】
そして、タッチパネル部１１を介してこの開始ボタンが押下されるまで待機し（Ｓ１１０）、押下された場合には、１ページ目のスライド画像を、無線ＬＡＮアダプタ１３を介してＣ−閲覧端末３０に送信する（Ｓ１１５）。
【００６３】
次に、説明者１Ｓによって順方向にページをめくる操作がなされるまで待機し（Ｓ１２０）、このような操作がなされた場合には、２ページ目のスライド画像を表示パネル１８に表示する（Ｓ１２５）とともに、この２ページ目のスライド画像を、無線ＬＡＮアダプタ１３を介してＣ−閲覧端末３０に送信する（Ｓ１３０）。
【００６４】
以下、表示パネル１８に表示中のスライド画像をＮページ目として、説明者１Ｓによって順方向または逆方向にページをめくる操作がなされるまで待機し（Ｓ１３５）、順方向にページをめくる操作がなされた場合には、Ｎ＋１ページ目のスライド画像を表示パネル１８に表示する（Ｓ１４０）とともに、このＮ＋１ページ目のスライド画像を、無線ＬＡＮアダプタ１３を介してＣ−閲覧端末３０に送信して（Ｓ１４５）、Ｓ１３５に戻る。一方、逆方向にページをめくる操作がなされた場合には、Ｎ−１ページ目のスライド画像を表示パネル１８に表示する（Ｓ１５０）とともに、このＮ−１ページ目のスライド画像を、無線ＬＡＮアダプタ１３を介してＣ−閲覧端末３０に送信して（Ｓ１５５）、Ｓ１３５に戻る。
【００６５】
つまり、説明者１Ｓによってページをめくる操作がなされると、その操作に対応するスライド画像を表示パネル１８に表示するとともに、Ｓ−閲覧端末１０に表示されたものと同じスライド画像をＣ−閲覧端末３０に表示させるようにしている。
【００６６】
なお、ページをめくる操作は、前述のユーザ操作読取処理で読み取った始点位置と終点位置との相関に基づいて、タッチ時間が始点位置よりも終点位置のほうが短かったか否かによって判定され、これを肯定判定し、且つ、その操作方向が予め規定された順方向（あるいは逆方向）である場合に、順方向（あるいは逆方向）にページがめくられものとして扱われる。
【００６７】
［Ｃ−閲覧端末のメイン処理］
次に、Ｃ−閲覧端末３０のマイコン３２が実行するメイン処理について、図４のフローチャートに沿って説明する。なお、本処理は、Ｓ−閲覧端末１０から無線ＬＡＮアダプタ３３を介して１ページ目のスライド画像を受信すると開始され、前述の終了信号を受信すると終了する。また、本処理は、Ｓ−閲覧端末１０から無線ＬＡＮアダプタ３３を介して終了信号を受信した場合には、その終了信号を、近距離通信部３５を介してＣ−携帯端末４０に転送した後に終了することを前提とする。
【００６８】
図４に示すように、まず、本処理が開始され、Ｓ−閲覧端末１０から無線ＬＡＮアダプタ３３を介して１ページ目のスライド画像を受信すると、スライド画像を受信したことを表す受信フラグとそのスライド画像に含まれているスライドＩＤとを、近距離通信部３５を介してＣ−携帯端末４０に送信する（Ｓ２０５）。そして、１ページ目のスライド画像をハードディスク３４に記憶する（Ｓ２１０）とともに、そのスライド画像を表示パネル３８に表示する（Ｓ２１５）。
【００６９】
次に、Ｓ−閲覧端末１０から無線ＬＡＮアダプタ３３を介して２ページ目のスライド画像を受信するまで待機し（Ｓ２２０）、２ページ目のスライド画像を受信すると、そのスライド画像に含まれているスライドＩＤを同様に受信フラグとともに、近距離通信部３５を介してＣ−携帯端末４０に送信する（Ｓ２２５）。そして、２ページ目のスライド画像をハードディスク３４に記憶する（Ｓ２３０）とともに、そのスライド画像を表示パネル３８に表示する（Ｓ２３５）。
【００７０】
以下、表示パネル３８に表示中のスライド画像をＮページ目として、受講者１Ｃによって順方向または逆方向にページをめくる操作がなされたか否かを判断し（Ｓ２４０）、このような操作がなされた場合（後述するページ操作指令をＣ−携帯端末４０から受信した場合を含む）には、その操作方向が順方向であるか逆方向であるかを判断する（Ｓ２４５）。一方、ページをめくる操作がなされなかった場合には、Ｓ−閲覧端末１０から無線ＬＡＮアダプタ３３を介してＮ＋１ページ目あるいはＮ−１ページ目のスライド画像を受信したか否かを判断し（Ｓ２５０）、受信しなかった場合には、Ｓ２４０に戻る。つまり、受講者１Ｃによってページをめくる操作がなされるか、Ｓ−閲覧端末１０から送られてくるスライド画像を受信するかのいずれかがあるまで待機するようにしている。
【００７１】
Ｓ２５０にてスライド画像を受信した場合には、そのスライド画像に含まれているスライドＩＤを同様に受信フラグとともに、近距離通信部３５を介してＣ−携帯端末４０に送信し（Ｓ２５５）、受信したスライド画像をハードディスク３４に記憶する（Ｓ２６０）。さらには、そのスライド画像を表示パネル３８に表示して（Ｓ２６５）、Ｓ２４０に戻る。なお、Ｓ２５０にてＮ−１ページ目のスライド画像などの既にハードディスク３４に記憶されているスライド画像を受信した場合には、Ｓ２６０をスキップし、ハードディスク３４から読み出したスライド画像を表示するようにしている。
【００７２】
このようにして、Ｓ−閲覧端末１０からスライド画像を受信すると、そのスライド画像を表示するとともに、そのスライド画像に含まれているスライドＩＤを受信フラグとともに、Ｃ−携帯端末４０に送信するようにしている。
【００７３】
一方、Ｓ２４５にて順方向にページをめくる操作がなされた場合には、Ｎ＋１ページ目のスライド画像をハードディスク３４から読み出して表示パネル３８に表示するとともに（Ｓ２７０）、その表示中のスライド画像を識別するためのスライドＩＤを、近距離通信部３５を介してＣ−携帯端末４０に送信し（Ｓ２７５）、Ｓ２４０に戻る。また、Ｓ２４５にて逆方向にページをめくる操作がなされた場合には、Ｎ−１ページ目のスライド画像をハードディスク３４から読み出して表示パネル３８に表示するとともに（Ｓ２８０）、その表示中のスライド画像を識別するためのスライドＩＤ（受信フラグなし）を、近距離通信部３５を介してＣ−携帯端末４０に送信し（Ｓ２８５）、Ｓ２４０に戻る。
【００７４】
このようにして、受講者１Ｃの操作によってスライド画像の表示を切り替えると、その切り替わった後のスライド画像に含まれているスライドＩＤだけを、Ｃ−携帯端末４０に送信するようにしている。
【００７５】
また、このとき、ハードディスク３４から読み出して表示パネル３８に表示することにより、説明者１Ｓがまだプレゼンテーションに用いていないスライド画像（未受信のスライド画像）を受講者１Ｃに見せないようにしている。
【００７６】
つまり、説明者１Ｓのペースで受講者１Ｃにスライド画像を見せることを原則としつつ、プレゼンテーションで既に用いた他のスライド画像を受講者１Ｃが読み返したい場合にはその機会を例外的に与えることとし、さらには、受講者１Ｃが他のスライド画像を読み返しているときに、説明者１Ｓがページをめくると、そのめくったページのスライド画像を受講者１Ｃに強制的に見せるようにしている。
【００７７】
［携帯端末の構成］
次に、図５Ａは、携帯端末２０，４０の構成を示すブロック図である。なお、携帯端末２０，４０は、いずれもプレゼンテーションの場に説明者１Ｓ，受講者１Ｃによって持参される周知の多機能携帯電話機（例えばスマートフォン）として構成されている。また、携帯端末２０，４０の構成は、前述の閲覧端末１０，３０の構成と共通する部分が多いため、相違する部分を中心に説明する。
【００７８】
図５Ａに示すように、携帯端末２０，４０は、ユーザによる入力操作を受け付けるユーザインターフェースとしてのタッチパネル部２１，４１、無線ＬＡＮアダプタ２３，４３、近距離通信部２５，４５、及び、制御部２７，４７を備えて構成される。なお、タッチパネル部２１，４１は、表示パネル２８，４８と入力パネル２９，４９とからなる周知のものである。
【００７９】
但し、表示パネル２８，４８のサイズは、閲覧端末１０，３０の表示パネル１８，３８よりも小さく、ユーザの手のひらに収まる程度の大きさに形成されている。また、無線ＬＡＮアダプタ２３，４３は、無線ＬＡＮルータ（図示せず）を介して携帯端末２０，４０を外部ネットワーク４に接続したり、Ｓ−携帯端末２０とＣ−携帯端末４０との間で各種データの送受信を行ったりするための装置である。さらには、近距離通信部２５，４５は、閲覧端末１０，３０から特定周波数帯の電波によって送信されてくる各種信号を受信するように構成され、制御部２７，４７は、マイコン２２，４２を中心に構成されている。
【００８０】
また、携帯端末２０，４０は、当該携帯端末２０，４０の本体の裏面に配置されて被写体を撮像するカメラ部２４，４４と、当該携帯端末２０，４０の本体の表面に配置されて周囲の音声を入力するマイク部２６，４６と、ＵＳＢケーブルを介してＣ−管理端末９などに接続されるＵＳＢ接続部２０１，４０１とを備えている。
【００８１】
カメラ部２４，４４は、レンズを介して結像される光学的な被写体を光電変換して電荷を保持する撮像素子を有し、この撮像素子を介して入力した電圧信号に基づいて、画像データを生成する周知のものである。なお、カメラ部２４、４４は、タッチパネル部２１，４１を介して入力される操作指令（カメラ機能に係る操作指令）に従って作動する。
【００８２】
マイク部２６，４６は、周囲から集音した音声を電圧信号に変換するマイクロフォンを有し、このマイクロフォンを介して入力した電圧信号に基づいて、音声データを生成する周知のものである。なお、マイク部２６，４６は、タッチパネル部２１，４１を介して入力される操作指令（録音機能に係る操作指令）に従って作動する。
【００８３】
マイコン２２，４２は、少なくとも、タッチ操作に対応する位置（タッチ位置）の他に、タッチパネル部２１，４１に対するドラッグ・アンド・ドロップ操作（指やペンなどでタッチしてドラッグした後にリリースする操作）の始点位置と終点位置を、入力パネル２９，４９からの入力に基づいて読み取るユーザ操作読取処理を行う。
【００８４】
また、マイコン２２，４２は、ユーザ操作読取処理にて読み取ったペンの入力内容をそのまま文字や記号、図形として、表示パネル２８，４８に表示したり（図６Ａ参照）、マイコン２２，４２の記憶装置に記憶したりするペン入力制御処理を行う。
【００８５】
そして、Ｓ−携帯端末２０のマイコン２２は、図６Ｂに示すように、ペン入力制御処理にて入力された文字や記号、図形を、説明者１Ｓがプレゼンテーションを行う際に説明を補足するための補足情報として、無線ＬＡＮアダプタ２３を介して全てのＣ−携帯端末４０に一斉送信する。また、Ｃ−携帯端末４０のマイコン２２は、Ｃ−携帯端末４０から無線ＬＡＮアダプタ２３を介して補足情報を受信すると、その補足情報が示す文字や記号、図形を表示パネル４８に表示するように構成されている。
【００８６】
［Ｃ−携帯端末のメイン処理］
次に、Ｃ−携帯端末４０のマイコン４２が実行するメイン処理について、図７及び図８のフローチャートに沿って説明する。なお、本処理は、受講者１Ｃによって当該処理に対応するアプリケーション（プログラム）を起動するための操作がなされると開始される。
【００８７】
図７，８に示すように、本処理が開始されると、まず、Ｃ−携帯端末４０のマイコン４２（ＣＰＵ）は、Ｃ−閲覧端末３０から近距離通信部４５を介してスライドＩＤを受信したか否かを判断し（Ｓ３０５）、スライドＩＤを受信した場合には、そのスライドＩＤに対応するスライド画像がＣ−閲覧端末３０に現在表示されていることを表すＣ−表示フラグを設定するとともに（Ｓ３１０）、そのスライドＩＤを記憶装置に記憶する（Ｓ３１５）。
【００８８】
そして、Ｓ３０５にて受信したスライドＩＤに前述の受信フラグが付加されているか否かを判断し（Ｓ３２０）、受信フラグが付加されている場合には、そのスライドＩＤに対応するスライド画像がＳ−閲覧端末１０に現在表示されていることを表すＳ−表示フラグを設定するとともに（Ｓ３２５）、そのスライドＩＤを記憶装置に記憶し（Ｓ３２７）、さらには、計時用タイマーを作動させる（Ｓ３３０）。一方、Ｓ３０５にてスライドＩＤを受信していない場合には、Ｓ３５５に移行する。
【００８９】
次に、Ｃ−閲覧端末３０から近距離通信部４５を介して、Ｓ３０５にて受信したものと異なるスライドＩＤを受信したか否かを判断し（Ｓ３３５）、このようなスライドＩＤを受信していない場合にも、Ｓ３５５に移行する。一方、Ｓ３３５にてスライドＩＤを受信した場合には、そのスライドＩＤに受信フラグが付加されているか否かを判断し（Ｓ３４０）、受信フラグが付加されていない場合には、Ｓ３１０に戻る。
【００９０】
このようにして、Ｃ−表示フラグまたはＳ−表示フラグを設定してスライドＩＤを記憶することにより、Ｃ−閲覧端末３０に表示中のスライド画像が、受講者１Ｃまたは説明者のいずれの操作によって表示されている画像であるかを識別するようにしている。
【００９１】
ここで、Ｓ３４０にて受信フラグが付加されている場合には、Ｓ３３０にて作動させた計時用タイマーを停止し（Ｓ３４５）、その計時用タイマーにより測定された時間を、説明者１Ｓが一つのスライド画像の説明に要した説明時間として、その説明時間とスライドＩＤ（Ｓ−表示フラグが設定されているスライドＩＤ）とを対応づけて記憶装置に記憶し（Ｓ３５０）、Ｓ３５５に移行する。なお、Ｓ３５０におけるスライドＩＤが既に説明時間と対応づけて記憶されている場合には、計時用タイマーにより測定された時間をその説明時間に加算して記憶する。つまり、プレゼンテーションの中で説明者１Ｓが各スライド画像の説明に要した時間を記録するようにしている。
【００９２】
続いて、前述のペン入力制御処理にて文字や記号、図形などが入力されたか否かを判断し（Ｓ３５５）、これらのいずれかが入力された場合には、入力内容をメモ情報（ペン入力データ）として、そのメモ情報を記憶装置に記憶する。また、文字や記号、図形などが入力されていない場合には、受講者１Ｃによる別の入力操作によって、カメラ部４４から画像データ、もしくは、マイク部４６から音声データを受け付けたか否かを判断し（Ｓ３６０）、これらのいずれかを受け付けた場合には、Ｓ３５５にて、そのデータ内容をメモ情報として記憶装置に記憶する。一方、上記いずれの入力もなされていない場合には、Ｓ３８０に移行する。
【００９３】
次に、Ｓ３５５またはＳ３６０にて入力されたメモ情報を記憶装置に記憶するとともに（Ｓ３６５）、Ｓ３１０にてＣ−表示フラグを設定したスライドＩＤを記憶装置から読み出し（Ｓ３７０）、その読み出したスライドＩＤを、Ｓ３６５にて記憶したメモ情報に対応づけて記憶する（Ｓ３７５）。つまり、プレゼンテーションの中で受講者１Ｃがメモ情報を入力したときに、そのメモ情報に対応するスライド画像を識別できるようにしている。
【００９４】
続いて、Ｓ−携帯端末２０から無線ＬＡＮアダプタ４３を介して前述の補足情報を受信したか否かを判断し（Ｓ３８０）、このような情報を受信していない場合には、Ｓ３９５に移行する。一方、Ｓ３８０にて補足情報を受信した場合には、その補足情報を記憶装置に記憶するとともに（Ｓ３８２）、Ｓ３２５にてＳ−表示フラグを設定したスライドＩＤを記憶装置から読み出し（Ｓ３８４）、その読み出したスライドＩＤを、Ｓ３８２にて記憶した補足情報に対応づけて記憶する（Ｓ３８５）。そして、この記憶したスライドＩＤに対応するスライド画像をＣ−閲覧端末３０に表示させる指令を、近距離通信部４５を介してＣ−閲覧端末３０に送信する（Ｓ３９０）。つまり、プレゼンテーションの中で説明者１Ｓが入力した補足情報を受信したときに、その補足情報に対応するスライド画像を識別するようにしている。また、そのときに、補足情報に対応するスライド画像を受講者１Ｃに強制的に見せるようにしている。
【００９５】
続いて、Ｓ−携帯端末２０から無線ＬＡＮアダプタ４３を介して前述の終了信号を受信したか否かを判断し（Ｓ３９５）、このような信号を受信していない場合には、Ｓ３０５に戻る。一方、終了信号を受信した場合には、Ｓ３５０，Ｓ３７５，Ｓ３９０にて記憶した説明時間，メモ情報，補足情報をスライドＩＤ毎に区分してなる受講記録情報を生成し（Ｓ４００）、さらには、この受講記録情報を記憶装置に格納して、本処理を終了する。
【００９６】
［Ｃ−閲覧端末のオプショナル処理］
ここで、Ｃ−閲覧端末３０のマイコン３２が実行するオプショナル処理について、図９のフローチャートに沿って説明する。なお、本処理は、Ｃ−携帯端末４０から近距離通信部３５を介してメモ情報または後述する検索用語情報を受信すると開始される。但し、本処理は、先のメイン処理（Ｃ−閲覧端末３０）と並列的に実行されることを前提とする。
【００９７】
図９に示すように、受信情報がメモ情報であるか否かを判断し（Ｓ４１０）、メモ情報である場合には、表示パネル３８における所定位置（例えば画面中央）に、受信したメモ情報を現在表示中のスライド画像に重畳させて表示して（Ｓ４２０）、前述のユーザ操作読取処理を行う（Ｓ４３０）。なお、スライド画像上に表示するメモ情報の透過率が予め設定されており、スライド画像が隠れてしまうことを防止している。
【００９８】
続いて、Ｓ４３０のユーザ操作読取処理により読み取ったドロップ操作の終点位置に基づいて、受講者１Ｃの操作によって移動したメモ情報の表示位置（但し、スライド画像に対する表示位置）を示す配置情報を生成し（Ｓ４４０）、近距離通信部３５を介してその配置情報をＣ−携帯端末４０に送信して（Ｓ４５０）、本処理を終了する。
【００９９】
一方、Ｓ４１０にて受信情報がメモ情報ではなく検索用語情報である場合には、その情報が示す用語が記載されているスライド画像をハードディスク３４から抽出する（Ｓ４６０）。そして、Ｓ４６０にて抽出したスライド画像が複数存在するか否かを判断し（Ｓ４７０）、複数存在する場合には、ハードディスク３４に記憶した順が最も古い（つまり、再先に記憶した）スライド画像を表示パネル３８に表示して（Ｓ４８０）、本処理を終了する。一方、一つだけ存在する場合には、そのスライド画像を表示して（Ｓ４９０）、本処理を終了する。なお、Ｓ４６０にてスライド画像を抽出できなかった場合には、検索用語情報に対応するスライド画像が存在しない旨を表示して、本処理を終了する。また、Ｓ４８０にてスライド画像を表示中に、受講者１Ｃによって順方向または逆方向にページをめくる操作がなされた場合には、ハードディスク３４に記憶した順が次に古いスライド画像を表示し、その後は操作方向に対応するスライド画像を表示する。
【０１００】
［Ｃ−携帯端末のオプショナル処理］
次に、Ｃ−携帯端末４０のマイコン４２が実行するオプショナル処理について、図１０のフローチャートに沿って説明する。なお、本処理は、受講者１Ｃによって当該処理に対応するアプリケーション（プログラム）を起動するための操作がなされると開始される。但し、本処理は、先のメイン処理（Ｃ−携帯端末４０）と並列的に実行されることを前提とする。
【０１０１】
図１０に示すように、本処理が開始されると、まず、Ｃ−携帯端末４０のマイコン４２（ＣＰＵ）は、検索ボタン５１、メモ書ボタン５３、読み返しボタン５５などが配列されたアプリ画像（図１参照）を表示パネル４８に表示する（Ｓ５０１）。
【０１０２】
そして、これらのうち、受講者１Ｃによるメモ書ボタン５３の押下操作が、タッチパネル部４１を介して入力されたか否かを判断し（Ｓ５０５）、この操作が入力された場合には、前述のペン入力制御処理を行う（Ｓ５１０）。そして、Ｓ５１０のペン入力制御処理により記憶した文字や記号、図形などからなるメモ情報について、Ｃ−閲覧端末３０に現在表示中のスライド画像に反映させるための決定ボタン（図示せず）が、タッチパネル部４１を介して入力されたか否かを判断し（Ｓ５１５）、入力されなかった場合（図示しない取消ボタンが入力された場合）には、Ｓ５０５に戻る。一方、この決定ボタンが入力された場合には、上記メモ情報を、近距離通信部４５を介してＣ−閲覧端末３０に送信し（Ｓ５２０）、Ｃ−閲覧端末３０から近距離通信部４５を介して前述の配置情報を受信するまで待機する（Ｓ５２５）。そして、Ｓ５２５にて配置情報を受信すると、その受信した配置情報、上記メモ情報、及び、メイン処理のＳ３１０にてＣ−表示フラグを設定したスライドＩＤを対応づけて記憶装置に記憶し（Ｓ５３０）、Ｓ５０５に戻る。
【０１０３】
このようにして、プレゼンテーションの中で受講者１Ｃがメモ情報を少なくともスライド画像上に反映させたときには、そのスライド画像に対するメモ情報の表示位置を記録するようにしている。
【０１０４】
一方、Ｓ５０５にてメモ書ボタン５３の押下操作が入力されていない場合には、受講者１Ｃによる読み返しボタン５５の押下操作が、タッチパネル部４１を介して入力されたか否かを判断する（Ｓ５３５）。そして、この操作が入力された場合には、さらに受講者１Ｃによって順方向にページをめくる操作がなされたか、あるいは逆方向にページをめくる操作がなされたかを判断し、その操作方向にページをめくる指令（ページ操作指令）を、近距離通信部４５を介してＣ−閲覧端末３０に送信し（Ｓ５４５）、Ｓ５０１に戻る。
【０１０５】
また、Ｓ５３５にて読み返しボタン５５の押下操作が入力されていない場合には、受講者１Ｃによる検索ボタン５１の押下操作が、タッチパネル部４１を介して入力されたか否かを判断する（Ｓ５５０）。そして、この操作が入力された場合には、さらに受講者１Ｃによって検索対象となる用語（検索用語）が入力されるまで待機し（Ｓ５５５）、これが入力されると、その検索用語を表す情報（検索用語情報）を、近距離通信部４５を介してＣ−閲覧端末３０に送信し（Ｓ５６０）、Ｓ５０１に戻る。
【０１０６】
さらに、Ｓ５５０にて検索ボタン５１の押下操作が入力されていない場合には、Ｃ−閲覧端末３０から近距離通信部４５を介して終了信号を受信したか否かを判断し（Ｓ５６５）、このような信号を受信していない場合には、Ｓ５０１に戻る。一方、Ｓ５６５にて終了信号を受信した場合には、先のメイン処理のＳ４００にて生成した受講記録情報に、Ｓ５３０にて記憶した配置情報を反映させることにより、この受講記録情報を更新し（Ｓ５７０）、本処理を終了する。
【０１０７】
これにより、Ｃ−携帯端末４０のマイコン４２（記憶装置）には、プレゼンテーションの中で受講者１Ｃが入力したメモ情報（ペン入力データ，画像データ，音声データ）、スライド画像に対するメモ情報の表示位置を示す配置情報、説明者１Ｓが入力した補足情報、及び、個々のスライド画像の説明に要した説明時間が、それぞれに対応するスライド画像のスライドＩＤに関連づけられて記録されることになる。
【０１０８】
［Ｃ−管理端末の構成］
次に、図５Ｂは、Ｃ−管理端末９の構成を示すブロック図である。
Ｃ−管理端末９は、図５Ｂに示すように、マウスやキーボード等を介して自端末を動作させるために必要なユーザの操作内容を入力する操作部９１と、ＵＳＢケーブルを介して外部の端末と各種情報の入出力を行なうためのコネクタからなるＵＳＢ接続部９２と、外部ネットワークを介して各種情報の入出力を行うためのコネクタからなるネットワークＩ／Ｆ９３と、各種情報を表示するための表示部９４と、制御部９５と、音声データに基づいて録音内容を出力するための音声出力部９８とを備える。
【０１０９】
なお、表示部９４は、液晶デバイス等の周知の表示デバイスからなり、パーソナルコンピュータが有する周知のグラフィカル・ユーザ・インターフェース（ＧＵＩ）機能により、各種情報が入力されるユーザインターフェース（ＵＩ）画面や、マウスポインタ等の画像が表示される。
【０１１０】
制御部９５は、ＣＰＵ，ＲＯＭ，ＲＡＭ，Ｉ／Ｏ及びこれらを接続するバスライン等からなるマイコン９６、及びハードディスク９７を中心に構成され、ＣＰＵが、ＲＯＭに記憶されたプログラム、ＲＡＭにロードされたＯＳ及び各種アプリケーション等に基づいて、スライド画像を管理する画像管理処理を含む各種処理を実行する。
【０１１１】
［Ｃ−管理端末の画像管理処理］
ここで、Ｃ−管理端末９のマイコン９６（ＣＰＵ）が実行する画像管理処理について、図１１のフローチャートに沿って説明する。なお、本処理は、受講者１Ｃによって当該処理に対応するアプリケーション（プログラム）を起動するための操作がなされると開始され、このプログラムを閉じるための操作がなされると終了する。
【０１１２】
図１１に示すように、本処理が開始されると、まず、Ｃ−管理端末９のマイコン４２（ＣＰＵ）は、自身のＵＳＢ接続部９２にＣ−携帯端末４０のＵＳＢ接続部４０１が接続されるまで待機し（Ｓ６０５）、接続されると、自身の操作部９１から入力される操作内容に基づいて、前述のダウンロード要求を、ネットワークＩ／Ｆ９３を介してＳ−管理サーバ７に送信する（Ｓ６１０）。そして、このダウンロード要求に従ってＳ−管理サーバ７から送られてくるスライドブックを、ネットワークＩ／Ｆ９３を介して受信すると、このスライドブックをハードディスク９７に記憶する（Ｓ６１５）。
【０１１３】
なお、ダウンロード要求には、複数のスライド画像からなるスライドブック（ヘッダ情報）を指定するための指定ＩＤやパスワード等が含まれているが、これらの指定ＩＤやパスワードを、Ｃ−携帯端末４０からＵＳＢ接続部９２を介して取得するようにしてもよい。但し、これらの指定ＩＤやパスワードが、Ｓ−閲覧端末１０からＣ−閲覧端末３０を介して送信され、Ｃ−携帯端末４０に予め記憶されていることを前提とする。
【０１１４】
次に、Ｃ−携帯端末４０からＵＳＢ接続部９２を介して前述の受講記録情報を取得し（Ｓ６２０）、この受講記録情報をＳ６１５にて取得したスライドブックに対応づけてハードディスク９７に記憶する（Ｓ６２５）。そして、この記憶した受講記録情報から、スライドＩＤ毎に、説明時間と、補足情報及びメモ情報の情報量とを抽出し、この説明時間と情報量とが多いほど高くなるように重要度を設定するとともに（Ｓ６３０）、スライドリスト５０を表示部９４に表示する（Ｓ６３５）。
【０１１５】
なお、スライドリスト５０は、図１２Ａに示すように、プレゼンテーションの名称、日時、及び会場名や、説明者１Ｓの名前、会社名からなるタイトル５７と、スライド画像のページ、説明、重要度、説明時間、補足情報（補足）、及びメモ情報（ペン，画像，音声）とからなるシート列５９とが、スライドＩＤ（図示せず）に対応づけられたリストである。また、これらのうち、シート列５９の説明箇所には、該当するスライド画像にリンク可能に下線部（アイコンに相当する）が付加されて表示され、補足情報及びメモ情報には、各データの数に下線部が付加されて、対応するデータにリンク可能に表示される。
【０１１６】
続いて、操作部９１から入力される操作内容に基づいて、スライドリスト５０の配列を並べ替えるためのユーザ操作がなされたか否かを判断し（Ｓ６４０）、このような操作がなされていない場合には、Ｓ６５０に移行する。一方、Ｓ６４０にてユーザ操作がなされた場合には、そのユーザ操作が指定する順にシート列５９の並べ替えを行う。例えば、ユーザ操作によって重要度が指定された場合には、図１２Ｂに示すように、その重要度が高いシート列５９から順に並べ替えて、スライドリスト５０を表示部９４に表示する。
【０１１７】
そして、スライドリスト５０のうち、操作部９１を介してシート列５９の説明箇所が押下されたか否かを判断し（Ｓ６５０）、このような押下操作がなされていない場合には、Ｓ６６０に移行する。一方、Ｓ６５０にて説明箇所が押下された場合には、スライドＩＤに基づいてハードディスク９７から該当するスライド画像、ペン入力データ、及び配置情報を読み込み、このうち配置情報が示す表示位置にペン入力データを重畳させてスライド画像を表示部９４に表示する（Ｓ６５５）。
【０１１８】
また、スライドリスト５０のうち、操作部９１を介してシート列５９の音声箇所が押下されたか否かを判断し（Ｓ６６０）、このような押下操作がなされていない場合には、Ｓ６７０に移行する。一方、Ｓ６６０にて音声箇所が押下された場合には、スライドＩＤに基づいてハードディスク９７から該当する音声データを読み込み、この読み込んだ音声データに基づく録音内容を音声出力部９８から出力する（Ｓ６６５）。
【０１１９】
さらには、スライドリスト５０のうち、操作部９１を介してシート列５９の補足箇所が押下されたか否かを判断し（Ｓ６７０）、このような押下操作がなされていない場合には、Ｓ６３５に戻る。一方、Ｓ６７０にて補足箇所が押下された場合には、スライドＩＤに基づいてハードディスク９７から該当する補足情報を読み込み、この読み込んだ補足情報を表示部９４に表示して（Ｓ６７５）、Ｓ６３５に戻る。なお、補足情報は、Ｓ６５５にてスライド画像が表示部９４に表示されている場合には、スライド画像に重畳させてポップアップ表示される。
【０１２０】
このように、本処理では、Ｓ−管理サーバ７から取得したスライドブックと、Ｃ−携帯端末４０から取得した受講記録情報とをスライドＩＤに基づいて対応づけて管理することにより、受講者１ＣがＣ−管理端末９をプレゼンテーションの場に持参することなく、Ｃ−携帯端末４０を持参するだけで、プレゼンテーションの場で取得した各種情報（メモ情報，補足情報）をスライド画像に対応づけて出力することを可能としている。
【０１２１】
［効果］
以上説明したように、本実施形態のプレゼンテーションシステム１では、プレゼンテーションを行うために予め用意されたスライド画像を説明者１Ｓが閲覧するためのＳ−閲覧端末１０と、スライド画像を受講者１Ｃが閲覧するためのＣ−閲覧端末３０との間でデータ通信を行うことにより、Ｓ−閲覧端末１０にて指定されたスライド画像をＣ−閲覧端末３０に表示することになる。
【０１２２】
これにより、プロジェクタ等によってスクリーンにスライド画像を表示せずに済み、各自に割り当てられたＣ−閲覧端末３０にスライド画像が表示される分、受講者１Ｃにとって視認性が向上されるので、説明者１Ｓにとっては自身が指定したスライド画像を受講者１Ｃに確実に認識させることができる。
【０１２３】
また、プレゼンテーションシステム１では、Ｃ−携帯端末４０が、受講者１Ｃによる入力操作を受け付けると、その入力内容を表すメモ情報を記憶するとともに、そのときにＣ−閲覧端末３０が表示中のスライド画像に対応するスライドＩＤを取得し、そのスライドＩＤに対応づけてメモ情報を記録することになる。
【０１２４】
これにより、受講者１Ｃがメモ情報を記録しようとする際にＣ−携帯端末４０を用いればよいので、Ｃ−閲覧端末３０におけるスライド画像の表示領域を狭めることなく、視認性を維持することが可能となる。さらには、プレゼンテーション後に、そのメモ情報がプレゼンテーションにおいてどのスライド画像を用いて説明したときのものであるかを、受講者１Ｃが容易に知得することが可能となる。
【０１２５】
したがって、本実施形態のプレゼンテーションシステム１によれば、受講者１Ｃの視認性を損ねることなく、スライド画像と対応可能にメモ情報を残すことができるので、プレゼンテーションに係る内容を合理的な態様で記録することができる。
【０１２６】
さらには、プレゼンテーションシステム１では、Ｃ−管理端末９が、Ｓ−管理サーバ７から受信したスライドブックを記憶するとともに、Ｃ−携帯端末４０から受講記録情報を受信すると、この情報のスライドＩＤに対応するスライド画像において配置情報に基づく表示位置にメモ情報を反映させてスライド画像を記憶することになる。
【０１２７】
よって、受講者１Ｃはプレゼンテーションの場にＣ−携帯端末４０を持参するだけで、プレゼンテーションに係る受講記録情報を持ち帰ることができ、その後、会社や自宅などの端末（Ｃ−管理端末９）からダウンロードしたスライドブックにその受講記録情報が対応づけられることになるので、Ｃ−管理端末９にてプレゼンテーションに係る内容を効率よく管理することができる。
【０１２８】
しかも、プレゼンテーションシステム１では、Ｓ−携帯端末２０が、説明者１Ｓによる入力操作を受け付けると、その入力操作の内容を表す補足情報をＣ−携帯端末４０に送信し、Ｃ−携帯端末４０が、Ｓ−携帯端末２０から補足情報を受信すると、スライドＩＤに対応づけてその補足情報を記録することになる。よって、説明者１Ｓがホワイトボード等を用いて説明する場合と比較して、プレゼンテーション中に補足情報を受講者に確実に知得させることができる。
【０１２９】
［文言の対応関係］
なお、本実施形態において、タッチパネル部４１が受付手段の一例に相当し、マイコン４２の記憶装置が記憶手段の一例に相当し、マイコン４２が実行するメイン処理のうち、Ｓ３７０がスライドＩＤ取得手段の一例に相当し、Ｓ３７５がスライドＩＤ付加手段の一例に相当する。
【０１３０】
［他の実施形態］
以上、本発明の実施形態について説明したが、本発明は上記実施形態に限定されるものではなく、本発明の要旨を逸脱しない範囲において、様々な態様にて実施することが可能である。
【０１３１】
例えば、上記実施形態のメイン処理（Ｃ−携帯端末４０）では、マイコン４２が、Ｃ−閲覧端末３０からスライドＩＤ（Ｃ）を常時受信するようにしているが、これに限定されるものではなく、受講者１Ｃによる入力操作を受け付けたときに、Ｃ−閲覧端末３０からスライドＩＤ（Ｃ）を取得するようにしてもよい。
【０１３２】
また、上記実施形態のメイン処理（Ｃ−携帯端末４０）では、マイコン４２が、Ｓ−閲覧端末１０からＣ−閲覧端末３０を介してスライドＩＤ（Ｓ）を常時受信するようにしているが、これに限定されるものではなく、受講者１Ｃによる入力操作を受け付けたときに、Ｓ−閲覧端末１０からスライドＩＤ（Ｓ）を取得するようにしてもよい。
【０１３３】
また、上記実施形態の画像管理処理（Ｃ−管理端末９）では、マイコン９６が、重要度の高いシート列５９から順に並べ替えて、スライドリスト５０を表示部９４に表示する例を示したが、これに限定されるものではなく、ユーザによる入力操作に従って、ページや説明時間、補足情報、個別のメモ情報（ペン，画像，音声）の情報量や数に基づき、降順または昇順に並べ替えるようにしてもよい。
【図１】
2012124031.tif 000003
【図２Ａ−２Ｂ】
2012124031.tif 000004
【図３】
2012124031.tif 000005
【図４】
2012124031.tif 000006
【図５Ａ−５Ｂ】
2012124031.tif 000007
【図６Ａ−６Ｂ】
2012124031.tif 000008
【図７】
2012124031.tif 000009
【図８】
2012124031.tif 000010
【図９】
2012124031.tif 000011
【図１０】
2012124031.tif 000012
【図１１】
2012124031.tif 000013
【図１２Ａ−１２Ｂ】
2012124031.tif 000014
【国際調査報告】
2012124031.tif 000015
2012124031.tif 000016